(57)【要約】【課題】撮像素子を含む発熱部材の放熱を確実に行うことができ、温暖地や寒冷地等の環境を問わず使用可能な電子カメラを提供する。【解決手段】撮像素子１８や撮像制御用素子２４から発生する熱は、基本的には、ヒートパイプ４３を介して熱伝導性部材からなる電池収納室３１に伝熱され、電池収納室３１の一部をカメラ筐体１０から外気に露出する放熱用の開口部５０を介して電池収納室３１外へ放熱させるが、断熱タイプのカバー部材５１を開口部５０に対して着脱自在に取付け可能とする取付部による機能変更部を利用して、開口部５０の外気側を断熱部材による断熱部に変更することで、電池収納室３１に伝熱された熱を電池収納室３１内に向けて放熱させて内蔵の電池３０を保温させることもできるようにした。【選択図】        図１
2009071762.tif 000002
【特許請求の範囲】
【請求項１】
撮影レンズの光軸上に該光軸と直交するように配設されて前記撮影レンズによる被写体像が結像される撮像素子と、
前記撮像素子に対する撮像制御用素子を搭載して前記撮像素子の背面側に近接配設された駆動回路基板と、
熱伝導性部材により形成されて電池を収納する電池収納室と、
前記撮像素子により撮像された画像や各種情報を表示する表示装置と、
を備える電子カメラであって、
前記撮像素子や前記撮像制御用素子から発生する熱を前記電池収納室に伝熱する熱伝達部材と、
前記電池収納室の一部をカメラ筐体から外気に露出する放熱用の開口部と、
該開口部の外気側を断熱部材による断熱部に変更可能な機能変更部と、
を備えることを特徴とする電子カメラ。
【請求項２】
前記機能変更部は、前記開口部を覆う断熱部材を着脱自在に取付ける取付部からなり、前記断熱部材が取付けられることにより前記開口部の外気側を前記断熱部に変更可能であることを特徴とする請求項１に記載の電子カメラ。
【請求項３】
前記取付部は、前記開口部を覆う放熱部材を着脱自在に取付ける取付部を兼用することを特徴とする請求項２に記載の電子カメラ。
【請求項４】
前記機能変更部は、前記開口部に設けられて該開口部が外気に露出する放熱状態と前記開口部を外気から遮断する断熱状態とに切り替え可能に前記開口部を覆うスライド二重構造の断熱部材からなり、前記放熱状態から前記断熱状態に切り替えることにより前記開口部の外気側を前記断熱部に変更可能であることを特徴とする請求項１に記載の電子カメラ。
【請求項５】
前記開口部内において、前記電池収納室と前記断熱部材との間に前記開口部を閉塞する放熱部材を備えることを特徴とする請求項４に記載の電子カメラ。
【請求項６】
前記カメラ筐体内に温度センサを備え、
前記温度センサの検出温度が予め設定された所定の閾値温度より低い場合には前記断熱部材を取付けるべき旨を前記表示装置に表示させるようにしたことを特徴とする請求項２または３に記載の電子カメラ。
【請求項７】
前記カメラ筐体内に温度センサを備え、
前記温度センサの検出温度が予め設定された所定の閾値温度より高い場合には前記断熱部材を取外すべき旨を前記表示装置に表示させるようにしたことを特徴とする請求項２または３に記載の電子カメラ。
【請求項８】
前記カメラ筐体内に温度センサを備え、
前記温度センサの検出温度が予め設定された所定の閾値温度より高い場合には前記放熱部材を取付けるべき旨を前記表示装置に表示させるようにしたことを特徴とする請求項３に記載の電子カメラ。
【請求項９】
前記カメラ筐体内に温度センサを備え、
前記温度センサの検出温度が予め設定された所定の閾値温度より低い場合には前記断熱部材を断熱状態に切り替えるべき旨を前記表示装置に表示させるようにしたことを特徴とする請求項４または５に記載の電子カメラ。
【請求項１０】
前記カメラ筐体内に温度センサを備え、
前記温度センサの検出温度が予め設定された所定の閾値温度より高い場合には前記断熱部材を放熱状態に切り替えるべき旨を前記表示装置に表示させるようにしたことを特徴とする請求項４または５に記載の電子カメラ。
【請求項１１】
前記カメラ筐体内に設けられた温度センサと、
前記断熱部材の着脱状態を検出する状態検出スイッチと、
を備え、
前記温度センサの検出温度が予め設定された所定の閾値温度より低く、前記状態検出スイッチが前記断熱部材の未装着状態を検出した場合には該断熱部材を取付けるべき旨を前記表示装置に表示させるようにしたことを特徴とする請求項２に記載の電子カメラ。
【請求項１２】
前記カメラ筐体内に設けられた温度センサと、
前記断熱部材の着脱状態を検出する状態検出スイッチと、
を備え、
前記温度センサの検出温度が予め設定された所定の閾値温度より高く、前記状態検出スイッチが前記断熱部材の装着状態を検出した場合には該断熱部材を取外すべき旨を前記表示装置に表示させるようにしたことを特徴とする請求項２に記載の電子カメラ。
【請求項１３】
前記カメラ筐体内に設けられた温度センサと、
前記断熱部材と前記放熱部材との装着状態を検出する状態検出スイッチと、
を備え、
前記温度センサの検出温度が予め設定された所定の閾値温度より低く、前記状態検出スイッチが前記放熱部材の装着状態を検出した場合には前記断熱部材に変更すべき旨を前記表示装置に表示させるようにしたことを特徴とする請求項３に記載の電子カメラ。
【請求項１４】
前記カメラ筐体内に設けられた温度センサと、
前記断熱部材と前記放熱部材との装着状態を検出する状態検出スイッチと、
を備え、
前記温度センサの検出温度が予め設定された所定の閾値温度より高く、前記状態検出スイッチが前記断熱部材の装着状態を検出した場合には前記放熱部材に変更すべき旨を前記表示装置に表示させるようにしたことを特徴とする請求項３に記載の電子カメラ。
【請求項１５】
前記カメラ筐体内に設けられた温度センサと、
前記断熱部材の状態を検出する状態検出スイッチと、
を備え、
前記温度センサの検出温度が予め設定された所定の閾値温度より低く、前記状態検出スイッチが前記断熱部材の状態として放熱状態を検出した場合には前記断熱部材を断熱状態に切り替えるべき旨を前記表示装置に表示させるようにしたことを特徴とする請求項４または５に記載の電子カメラ。
【請求項１６】
前記カメラ筐体内に設けられた温度センサと、
前記断熱カバー部材の状態を検出する状態検出スイッチと、
を備え、
前記温度センサの検出温度が予め設定された所定の閾値温度より高く、前記状態検出スイッチが前記断熱部材の状態として断熱状態を検出した場合には前記断熱部材を放熱状態に切り替えるべき旨を前記表示装置に表示させるようにしたことを特徴とする請求項４または５に記載の電子カメラ。
【請求項１７】
前記熱伝達部材は、前記電池収納室に連結されたヒートパイプからなることを特徴とする請求項１〜１６のいずれか一つに記載の電子カメラ。
【発明の詳細な説明】
【技術分野】
【０００１】
本発明は、撮影レンズによる被写体像を撮像素子に結像させて撮像するコンパクト型デジタルカメラ、レンズ交換可能な一眼レフレックス型デジタルカメラ等の電子カメラに関するものである。
【背景技術】
【０００２】
ＣＣＤ等の撮像素子を備える電子カメラは、撮影レンズの透過光束を撮像素子で受光し、その光電変換出力に基づいて画像データを得る。撮像素子は、高画素化、大型化に伴い発熱量が多くなる傾向にある。ここで、撮像素子は、熱によって暗電流が発生しノイズの原因なって画質が低下することから、放熱対策が必要とされている。
【０００３】
このような放熱対策の一例として、例えば、撮像素子から発生する熱をヒートパイプ等によって電池ケースに伝達し、電池ケースに固定された放熱部材に熱伝達させてカメラ筐体より外気に放熱させることで、電池ケースひいては撮像素子の冷却を行うようにした提案例がある（例えば、特許文献１参照）。
【０００４】
一方、電子カメラ内部で発生する熱が筐体内にこもるのを抑制するために、撮像素子から発生する熱を、ヒートパイプの放熱部を介して電池に伝熱させるようにした提案例がある（例えば、特許文献２参照）。一般的に、電池の性能は低温になるほど低下するが、特許文献２によれば、放出される熱により電池を暖めるので、電池の性能低下を抑制できる。
【０００５】
また、低温環境下での内蔵電池（電源）の性能を維持するために、電源近傍に温度センサとヒータとを配置し、検出される温度が設定温度以下のときにはヒータに通電することで電源を保温させるようにした提案例がある（例えば、特許文献３参照）。
【０００６】
【特許文献１】特開２００３−４６８２８号公報
【特許文献２】特開２０００−３２３０７号公報
【特許文献３】特開平１１−３３８０２５号公報
【発明の開示】
【発明が解決しようとする課題】
【０００７】
しかしながら、カメラを使用する環境条件は、温暖地に限らず、寒冷地等の場合もある。例えば特許文献１に示されるような放熱対策を講じたカメラを寒冷地で使用する場合、電池ケースからの放熱による冷却により内蔵電池の温度環境も低温環境となってしまい、内蔵電池としての性能を維持できないケースを生じてしまう。よって、温暖地専用のカメラとなってしまい、寒冷地等の低温環境での使用が制限され、ユーザの利便性が低下してしまう。
【０００８】
かといって、特許文献３に示されるようなヒータを用いた電源保温方式では、装置規模が大きくなり、消費電力も多く、コスト高となってしまい、実用的な対策でない。
【０００９】
一方、特許文献２に示されるような電子カメラを温暖地で使用すると、電池部分の温度が必要以上に高温になってしまう不具合がある。よって、寒冷地専用のカメラとなってしい、温暖地等での使用が制限され、ユーザの利便性が低下してしまう。
【００１０】
本発明は、上記に鑑みてなされたものであって、撮像素子を含む発熱部材の放熱を確実に行うことができるとともに、温暖地や寒冷地等の温度環境を問わず使用可能な電子カメラを提供することを目的とする。
【課題を解決するための手段】
【００１１】
上述した課題を解決し、目的を達成するために、本発明にかかる電子カメラは、撮影レンズの光軸上に該光軸と直交するように配設されて前記撮影レンズによる被写体像が結像される撮像素子と、前記撮像素子に対する撮像制御用素子を搭載して前記撮像素子の背面側に近接配設された駆動回路基板と、熱伝導性部材により形成されて電池を収納する電池収納室と、前記撮像素子により撮像された画像や各種情報を表示する表示装置と、を備える電子カメラであって、前記撮像素子や前記撮像制御用素子から発生する熱を前記電池収納室に伝熱する熱伝達部材と、前記電池収納室の一部をカメラ筐体から外気に露出する放熱用の開口部と、該開口部の外気側を断熱部材による断熱部に変更可能な機能変更部と、を備えることを特徴とする。
【００１２】
また、本発明にかかる電子カメラは、上記発明において、前記機能変更部は、前記開口部を覆う断熱部材を着脱自在に取付ける取付部からなり、前記断熱部材が取付けられることにより前記開口部の外気側を前記断熱部に変更可能であることを特徴とする。
【００１３】
また、本発明にかかる電子カメラは、上記発明において、前記取付部は、前記開口部を覆う放熱部材を着脱自在に取付ける取付部を兼用することを特徴とする。
【００１４】
また、本発明にかかる電子カメラは、上記発明において、前記機能変更部は、前記開口部に設けられて該開口部が外気に露出する放熱状態と前記開口部を外気から遮断する断熱状態とに切り替え可能に前記開口部を覆うスライド二重構造の断熱部材からなり、前記放熱状態から前記断熱状態に切り替えることにより前記開口部の外気側を前記断熱部に変更可能であることを特徴とする。
【００１５】
また、本発明にかかる電子カメラは、上記発明において、前記開口部内において、前記電池収納室と前記断熱部材との間に前記開口部を閉塞する放熱部材を備えることを特徴とする。
【００１６】
また、本発明にかかる電子カメラは、上記発明において、前記カメラ筐体内に温度センサを備え、前記温度センサの検出温度が予め設定された所定の閾値温度より低い場合には前記断熱部材を取付けるべき旨を前記表示装置に表示させるようにしたことを特徴とする。
【００１７】
また、本発明にかかる電子カメラは、上記発明において、前記カメラ筐体内に温度センサを備え、前記温度センサの検出温度が予め設定された所定の閾値温度より高い場合には前記断熱部材を取外すべき旨を前記表示装置に表示させるようにしたことを特徴とする。
【００１８】
また、本発明にかかる電子カメラは、上記発明において、前記カメラ筐体内に温度センサを備え、前記温度センサの検出温度が予め設定された所定の閾値温度より高い場合には前記放熱部材を取付けるべき旨を前記表示装置に表示させるようにしたことを特徴とする。
【００１９】
また、本発明にかかる電子カメラは、上記発明において、前記カメラ筐体内に温度センサを備え、前記温度センサの検出温度が予め設定された所定の閾値温度より低い場合には前記断熱部材を断熱状態に切り替えるべき旨を前記表示装置に表示させるようにしたことを特徴とする。
【００２０】
また、本発明にかかる電子カメラは、上記発明において、前記カメラ筐体内に温度センサを備え、前記温度センサの検出温度が予め設定された所定の閾値温度より高い場合には前記断熱部材を放熱状態に切り替えるべき旨を前記表示装置に表示させるようにしたことを特徴とする。
【００２１】
また、本発明にかかる電子カメラは、上記発明において、前記カメラ筐体内に設けられた温度センサと、前記断熱部材の着脱状態を検出する状態検出スイッチと、を備え、前記温度センサの検出温度が予め設定された所定の閾値温度より低く、前記状態検出スイッチが前記断熱部材の未装着状態を検出した場合には該断熱部材を取付けるべき旨を前記表示装置に表示させるようにしたことを特徴とする。
【００２２】
また、本発明にかかる電子カメラは、上記発明において、前記カメラ筐体内に設けられた温度センサと、前記断熱部材の着脱状態を検出する状態検出スイッチと、を備え、前記温度センサの検出温度が予め設定された所定の閾値温度より高く、前記状態検出スイッチが前記断熱部材の装着状態を検出した場合には該断熱部材を取外すべき旨を前記表示装置に表示させるようにしたことを特徴とする。
【００２３】
また、本発明にかかる電子カメラは、上記発明において、前記カメラ筐体内に設けられた温度センサと、前記断熱部材と前記放熱部材との装着状態を検出する状態検出スイッチと、を備え、前記温度センサの検出温度が予め設定された所定の閾値温度より低く、前記状態検出スイッチが前記放熱部材の装着状態を検出した場合には前記断熱部材に変更すべき旨を前記表示装置に表示させるようにしたことを特徴とする。
【００２４】
また、本発明にかかる電子カメラは、上記発明において、前記カメラ筐体内に設けられた温度センサと、前記断熱部材と前記放熱部材との装着状態を検出する状態検出スイッチと、を備え、前記温度センサの検出温度が予め設定された所定の閾値温度より高く、前記状態検出スイッチが前記断熱部材の装着状態を検出した場合には前記放熱部材に変更すべき旨を前記表示装置に表示させるようにしたことを特徴とする。
【００２５】
また、本発明にかかる電子カメラは、上記発明において、前記カメラ筐体内に設けられた温度センサと、前記断熱部材の状態を検出する状態検出スイッチと、を備え、前記温度センサの検出温度が予め設定された所定の閾値温度より低く、前記状態検出スイッチが前記断熱部材の状態として放熱状態を検出した場合には前記断熱部材を断熱状態に切り替えるべき旨を前記表示装置に表示させるようにしたことを特徴とする。
【００２６】
また、本発明にかかる電子カメラは、上記発明において、前記カメラ筐体内に設けられた温度センサと、前記断熱カバー部材の状態を検出する状態検出スイッチと、を備え、前記温度センサの検出温度が予め設定された所定の閾値温度より高く、前記状態検出スイッチが前記断熱部材の状態として断熱状態を検出した場合には前記断熱部材を放熱状態に切り替えるべき旨を前記表示装置に表示させるようにしたことを特徴とする。
【００２７】
また、本発明にかかる電子カメラは、上記発明において、前記熱伝達部材は、前記電池収納室に連結されたヒートパイプからなることを特徴とする。
【発明の効果】
【００２８】
本発明にかかる電子カメラは、撮像素子や撮像制御用素子から発生する熱は、基本的には、熱伝達部材を介して電池収納室に伝熱させ、電池収納室の一部をカメラ筐体から外気に露出する放熱用の開口部を介して電池収納室外へ放熱させるが、機能変更部を利用して開口部の外気側を断熱部材による断熱部に変更することで、電池収納室に伝熱された熱を電池収納室内に向けて放熱させて内蔵の電池を保温させることもでき、よって、撮像素子を含む発熱部材の放熱を確実に行うことができるとともに、温暖地や寒冷地等の温度環境を問わず使用可能な電子カメラを提供することができるという効果を奏する。
【発明を実施するための最良の形態】
【００２９】
以下、本発明にかかる電子カメラを実施するための最良の形態を、図面を参照して説明する。本実施の形態の電子カメラは、一例としてレンズ交換可能な一眼レフレックス式デジタルカメラへの適用例として説明する。
【００３０】
（実施の形態１）
図１は、本実施の形態１の一眼レフレックス式デジタルカメラの内部構造の概略を示す中央水平断面図であり、図２は、カメラ本体を正面から見た外観図であり、図３は、カメラ本体の内部構造の概略を示す中央縦断正面図であり、図４−１は、放熱タイプのカバー部材装着時の図２中のＡ−Ａ線断面図であり、図４−２は、断熱タイプのカバー部材装着時の図２中のＡ−Ａ線断面図である。
【００３１】
本実施の形態１の一眼レフレックス式デジタルカメラは、カメラ筐体１０と、このカメラ筐体１０の前面側に交換可能に装填されることにより搭載される撮影レンズ１１とにより構成される。カメラの外観形状を構成するカメラ筐体１０は、撮影レンズ１１の光軸上となる前面側位置に撮影レンズ１１を含むレンズユニット１２を交換自在に装填するためのリング状のマウント部１３を備える。また、カメラ筐体１０は、前面側から見て左側に撮影時等において操作者の右手により保持されるグリップ部１４を有する。このグリップ部１４の頂部には、レリーズボタン１５等の各種スイッチ、ボタン類を備える。
【００３２】
カメラ筐体１０は、図１に示すように、背面側において光軸上の位置にモニタ表示窓１６を有する表示装置である液晶モニタ１７を備える。この液晶モニタ１７は、撮影された画像の他、各種設定・調整事項等の各種情報を表示するＴＦＴ（Thin Film Transistor）タイプの矩形状表示パネルである。
【００３３】
また、カメラ筐体１０は、内部に、撮影レンズ１１の光軸上に位置させて、撮像素子１８や放熱板１９や駆動回路基板２０を含む撮像ユニット２１を備える。撮像ユニット２１は、前面側から順に配設された、光学ローパスフィルタ２２、撮像素子１８、放熱板１９および駆動回路基板２０をホルダ２３でユニット化したものである。撮像素子１８は、撮影レンズ１１により撮像面に結像された被写体像を光電変換するもので、矩形形状をなし、本実施の形態１では、例えばＣＣＤイメージセンサが用いられている。なお、撮像素子１８としては、ＣＣＤイメージセンサに限らず、ＣＭＯＳイメージセンサ等であってもよい。また、放熱板１９は、放射性のよいアルミニウム等の金属で撮像素子１８よりも大きめに形成されて撮像素子１８の背面側に接触させてホルダ２３に固定されることで、撮像素子固定板を兼用する。また、駆動回路基板２０は、撮像素子１に対する撮像制御用素子２４を搭載したもので、放熱板１９との間に僅かな隙間を持たせて背面側に平行に近接配設され、ホルダ２３に固定されている。
【００３４】
一方、カメラ筐体１０において、グリップ部１４の内部には、電池３０を収納する電池収納室３１が設けられている。電池収納室３１は、樹脂製の仕切り壁３２内に位置させて、熱伝導性の高い熱伝導性部材により電池３０の外形形状にほぼ一致するように形成されている。電池３０は、底面の開閉蓋３３を開閉することにより電池収納室３１内への挿脱が可能とされている。また、グリップ部１４の内部において、背面側には、カメラ全体の制御や画像処理、圧縮処理、データ記憶処理等を行うための回路やＳＤＲＡＭ等のメモリ、電源回路等が搭載された回路基板３４，３５が配設されている。回路基板３４，３５間および駆動回路基板２０との間は、フレキシブル基板３６，３７によって電気的に接続されている。また、グリップ部１４において、電池収納室３１と回路基板３３との間には、メモリカードによる記録媒体３８を装填するためのメモリスロット３９が形成され、通常は、開閉自在なカバー４０で閉塞されている。また、グリップ部１４内において、電池収納室３１より前面側にはストロボ用のアルミニウム電解コンデンサ４１が内蔵されている。さらに、グリップ部１４内において、電池収納室３１の一部から電池収納室３１内に臨ませて電池収納室３１内の温度を検出する温度センサ４２を備える。
【００３５】
また、カメラ筐体１０は、内部において、放熱板１９と電池収納室３１とに連結された熱伝達部材としてのヒートパイプ４３を備える。ヒートパイプ４３は、カメラ筐体１０内で主な発熱源となる撮像素子１８や撮像制御用素子２４を有する撮像ユニット２１で発生した熱を電池収納室３１に伝熱させるためのもので、略Ｌ字状に形成された両端が押え金具４４，４５およびビス４６，４７により放熱板１９の一端や電池収納室３１の側面で高さ方向中央部に密着するように固定されている。なお、熱伝達部材としては、ヒートパイプ４３に限らず、熱伝導性のよい金属等を用いてもよい。
【００３６】
さらに、本実施の形態１のカメラ筐体１０は、電池収納室３１の一部をカメラ筐体１０から外気に露出する放熱用の開口部５０を備える。この開口部５０は、マウント部１３とグリップ部１４との間の凹部に位置させてカメラ筐体１０の前面側に開口形成されている。また、開口部５０は、放熱効果を高めるために、電池収納室３１の高さに相当する高さに形成されている。この開口部５０周りには、開口部５０を覆うカバー形状の断熱タイプのカバー部材（断熱部材）５１を着脱自在に取付ける取付部５２を有する。この取付部５２は、カバー部材５１の左側一辺の爪５３を引っ掛け係止させる部分と右側一辺の上下２箇所をビス５４で固定させるためのビス穴部分とにより構成されている。これにより、取付部５２は、カバー部材５１が取付けられることにより開口部５０の外気側を放熱部から断熱部に変更可能であり、開口部５０の外気側をカバー部材５１よる断熱部に変更可能な機能変更部を構成している。断熱タイプのカバー部材５１は、開口部５０において電池収納室３１と外気側とを熱的に遮断するためのもので、熱伝導の低いセラミック等の断熱材料によって、電池収納室３１に密着するように開口部５０の形状に合わせて形成されている。
【００３７】
ここで、本実施の形態１では、断熱タイプのカバー部材５１の他に、このカバー部材５１と同一形状に形成された放熱タイプのカバー部材（放熱部材）５５を備える。このカバー部材５５も、取付部５２によって開口部５０を覆う状態に着脱自在である。すなわち、カバー部材５１，５５は、互いに交換自在に設けられている。放熱タイプのカバー部材５５は、開口部５０において電池収納室３１と外気側とを熱的に結合するためのものであり、熱伝導性のよい金属材料によって、電池収納室３１に密着するように開口部５０の形状に合わせて形成されている。
【００３８】
また、カメラ筐体１０内には、カバー部材５１，５５の装着範囲内に位置させて状態検出スイッチとしてカバー判別スイッチ５６およびカバー有無検出スイッチ５７を備える。カバー判別スイッチ５６は、カバー部材５１，５５が装着された状態でいずれのタイプのものが装着されているかを判別するためのスイッチである。ここで、本実施の形態１では、放熱タイプのカバー部材５５側においてカバー判別スイッチ５６対応部分は図４−１に示すように平坦とされ、断熱タイプのカバー部材５１側においてカバー判別スイッチ５６対応部分には図４−２に示すような凹部５８が形成されている。これにより、放熱タイプのカバー部材５５が装着された状態では図４−１に示すようにカバー判別スイッチ５６がＯＮし、断熱タイプのカバー部材５１が装着された状態では図４−２に示すようにカバー判別スイッチ５６がＯＦＦ状態のままであり、両者を判別し得るように構成されている。また、カバー有無検出スイッチ５７は、カバー部材５１，５５が装着されているか未装着であるかを判別するためのスイッチであり、カバー部材５１，５５が装着されることによりＯＮし、未装着の場合にはＯＦＦ状態のままとなることで判別可能とされている。
【００３９】
次に、本実施の形態１の電子カメラの電装系構成について説明する。図５は、カメラ筐体１０内に組み込まれた電子カメラの主要部の電装系構成例を示す概略ブロック図である。本実施の形態１の電子カメラは、カメラ内の各部の動作やシーケンスを統括的に制御するＣＰＵ６０を備える。このＣＰＵ６０には、バス６１を介して、駆動回路６２、画像処理部６３、ＪＰＥＧ処理部６４、ＳＤＲＡＭ６５、メモリＩ／Ｆ６６、ＬＣＤドライバ６７等が接続されている。駆動回路６２には、撮像素子１８と、ノイズを低減させるＣＤＳ（Correlated Double Sampling）、信号レベルを安定させるＡＧＣ（Automatic Gain Control）からなるＣＤＳ／ＡＧＣ回路６８と、アナログ信号をデジタル信号に変換するＡ／Ｄ変換部６９とが接続されている。
【００４０】
ここで、撮像素子１８を駆動するタイミングジェネレータ（図示せず）を含む駆動回路６２とＣＤＳ／ＡＧＣ回路６８とＡ／Ｄ変換部６９は、ＡＦＥ（Analog Front End）ＩＣ素子で構成され、撮像制御用素子２４として駆動回路基板２０に搭載されている。ＣＤＳ／ＡＧＣ回路６８は、撮像素子１８から読み出されるアナログ画像信号に対して、リセットノイズ等を低減した上で波形整形を行い、さらに、画像の明るさが目的の明るさとなるようにゲインアップを行う。Ａ／Ｄ変換部６９は、ＣＤＳ／ＡＧＣ回路６８で前処理されたアナログ画像信号をデジタル画像信号（画像データ）に変換する。Ａ／Ｄ変換部６９で変換された画像データは、バス６１を介して一旦ＳＤＲＡＭ６５に格納される。画像処理部６３は、ＳＤＲＡＭ６５に記憶された画像データを読み出して各種画像処理を施す。画像処理内容としては、ホワイトバランス補正、同時化処理、色変換／色再現処理、γ変換処理、エッジ抽出処理、ノイズ低減処理、補間リサイズ処理等の各種処理がある。画像処理部６３で画像処理が施された画像データは、再度ＳＤＲＡＭ６５に格納される。
【００４１】
ＪＰＥＧ処理部６４は、ＳＤＲＡＭ６５から画像処理済みの画像データを読み出して、ＪＰＥＧ方式に従い圧縮を行うためのものである。ＪＰＥＧ処理部６４は、記録媒体３８に記録されたＪＰＥＧ圧縮画像を読み出して伸張処理を施す機能も有する。ＪＰＥＧ処理部６４により圧縮された画像データはＳＤＲＡＭ６５に格納された後、メモリＩ／Ｆ６６を介して記録媒体３８に記録される。
【００４２】
ＬＣＤドライバ６７は、液晶モニタ（ＬＣＤ）１７へ画像、その他の表示を行うものである。ＬＣＤドライバ６７は、画像表示の場合には、ＳＤＲＡＭ６５から画像データを読み出して映像信号に変換した後、液晶モニタ１７に画像表示を行う。
【００４３】
また、ＣＰＵ６０には、操作部７０、フラッシュメモリ７１の他に、電池３０近傍の温度センサ４２や、カバー判別スイッチ５６およびカバー有無検出スイッチ５７が接続されている。操作部７０は、電源ＯＮ／ＯＦＦ用の電源ボタン、撮影開始を指示するレリーズボタン１５、その他の各種入力スイッチ・ボタン類を備える。ＣＰＵ６０は、ユーザによって操作部７０が操作されることにより、操作に応じた各種シーケンス制御を実行する。フラッシュメモリ７１は、ホワイトバランスゲイン、カラーマトリクス、フィルタパラメータ等の各種パラメータ情報を記憶する記憶部である。温度センサ４２は、電池収納室３１内の温度を検出し、検出結果をＣＰＵ６０に通知する。カバー判別スイッチ５６は、カバー部材５１，５５のいずれが装着されているかを判別し、判別結果をＣＰＵ６０に通知する。カバー有無検出スイッチ５７は、カバー部材５１または５５が装着されているか未装着であるかを検出し、検出結果をＣＰＵ６０に通知する。
【００４４】
このような構成において、撮像素子１８や撮像制御用素子２４は、電源投入後の連続的な動作に伴い発熱する発熱源となり、撮像素子１８の性能を劣化させるので、撮像素子１８に対して放熱対策が必要となる。本実施の形態１において、撮像素子１８や撮像制御用素子２４を発熱源として撮像ユニット２１で発生した熱は、ヒートパイプ４３によって電池収納室３１に伝熱される。そして、電池収納室３１も熱伝導性の良好なる熱伝導性部材により形成されており、ヒートパイプ４３からの熱は電池収納室３１全体に亘って伝熱される。
【００４５】
ここで、開口部５０に放熱タイプのカバー部材５５が装着されている場合には、開口部５０の外気側はカバー部材５５によって電池収納室３１側と熱的に結合される状態となり、放熱部として機能するため、電池収納室３１に伝達された熱は、開口部５０からカバー部材５５を介して効率よく外気側に放熱される。一方、放熱タイプのカバー部材５５に代えて、開口部５０に断熱タイプのカバー部材５１が装着されている場合には、開口部５０の外気側はカバー部材５１によって電池収納室３１側と熱的に遮断される状態となり、断熱部として機能するため、電池収納室３１に伝達された熱は、電池収納室３１の内部に向けて放熱される。これにより、電池収納室３１内に収納された電池３０が撮像ユニット２１で発生した熱を利用して温められ保温される。
【００４６】
したがって、本実施の形態１によれば、開口部５０に放熱タイプのカバー部材５５を装着すれば開口部５０の外気側を放熱部として機能させ効率よく外気へ放熱させることができ、開口部５０に断熱タイプのカバー部材５１を装着すれば開口部５０の外気側を断熱部として機能させ電池収納室３１内に放熱させて電池３０を保温させることができる。よって、基本的に、温暖地等であれば、開口部５０に放熱タイプのカバー部材５５を装着して使用すればよく、例えば寒冷地等であれば、開口部５０に断熱タイプのカバー部材５１を装着して使用すればよく、環境温度を問わず使用可能となり、ユーザの利便性が向上する。
【００４７】
次に、断熱タイプのカバー部材５１と放熱タイプのカバー部材５５との使い分けを適正に行わせるための、温度センサ４２による検出温度を用いたＣＰＵ６０による制御例について図６に示す概略フローチャートを参照して説明する。なお、電池３０としての性能を適正に発揮し得る温度に基づき電池収納室３１内に必要な所定の閾値温度としてＴｔｈが設定されているものとする（図８参照）。また、僅かな温度変化による制御内容の頻繁な変動を防止するために、閾値温度Ｔｔｈに対して所定のヒステリシス温度Δｔが設定されているものとする。この温度（Ｔｔｈ＋Δｔ）も、別の閾値温度として判断基準に用いられる。
【００４８】
まず、操作部７０中の電源ボタンが投入されると、ＣＰＵ６０は、システム全体の初期化動作を実行する（ステップＳ１００）。ついで、温度センサ４２の検出結果を取り込むことで、電池収納室３１内の温度Ｔを測定する（ステップＳ１０２）。そして、カバー有無検出スイッチ５６の検出結果を取り込むことで、開口部５０にカバー部材５５または５１が装着されているか否かを判断する（ステップＳ１０４）。カバー有無検出スイッチ５６がＯＦＦであれば、カバー部材５５，５１がいずれも装着されていないと判断し（ステップＳ１０４；Ｎｏ）、カバー部材５５または５１が無い旨を告知する警告を液晶モニタ１７に表示させる（ステップＳ１０６）。これにより、ユーザにカバー部材５５または５１の装着を促す。そして、ステップＳ１１８へ移行するが、図６中に破線で示すように、カバー部材５５または５１が装着されるまで待機させてもよい。
【００４９】
一方、カバー有無検出スイッチ５６がＯＮで、開口部５０にカバー部材５５または５１が装着されている場合には（ステップＳ１０４；Ｙｅｓ）、カバー判別スイッチ５６の判別結果を取り込むことで、開口部５０に装着されているカバー部材が放熱タイプであるか否かを判別する（ステップＳ１０８）。ここで、カバー判別スイッチ５６がＯＮであることにより、放熱タイプのカバー部材５５が装着されていると判別された場合には（ステップＳ１０８；Ｙｅｓ）、測定された電池収納室３１内の測定温度Ｔが、予め設定された閾値温度Ｔｔｈよりも低いか否かを判断する（ステップＳ１１０）。測定温度Ｔが閾値温度Ｔｔｈより低い場合には（ステップＳ１１０；Ｙｅｓ）、カバー部材として、放熱タイプのカバー部材５５から断熱タイプのカバー部材５１への変更を告知する表示を液晶モニタ１７によって行わせる（ステップＳ１１２）。測定温度Ｔが閾値温度Ｔｔｈ以上の場合には（ステップＳ１１０；Ｎｏ）、ステップＳ１１８に移行する。
【００５０】
また、カバー判別スイッチ５６がＯＦＦであることにより、断熱タイプのカバー部材５１が装着されていると判別された場合には（ステップＳ１０８；Ｎｏ）、測定された電池収納室３１内の測定温度Ｔが、予め設定された閾値温度（Ｔｔｈ＋Δｔ）よりも高いか否かを判断する（ステップＳ１１４）。測定温度Ｔが閾値温度（Ｔｔｈ＋Δｔ）より高い場合には（ステップＳ１１４；Ｙｅｓ）、カバー部材として、断熱タイプのカバー部材５１から放熱タイプのカバー部材５５への変更を告知する表示を液晶モニタ１７によって行わせる（ステップＳ１１６）。測定温度Ｔが閾値温度（Ｔｔｈ＋Δｔ）以下の場合には（ステップＳ１１４；Ｎｏ）、ステップＳ１１８に移行する。
【００５１】
そして、ステップＳ１１８では、操作部７０においてレリーズボタンが操作されたか否かを判断する。レリーズボタンが操作された場合には（ステップＳ１１８；Ｙｅｓ）、自動露出（ＡＥ）／自動焦点（ＡＦ）制御などの撮影準備動作を実行し（ステップＳ１２０）、引き続き、撮影動作を実行し（ステップＳ１２２）、ステップＳ１０２の温度測定に戻る。一方、レリーズボタンが操作されていない場合には（ステップＳ１１８；Ｎｏ）、電源ボタンがＯＦＦされたか否かを判断する（ステップＳ１２４）。電源ボタンがＯＦＦされていない場合も（ステップＳ１２４；Ｎｏ）、ステップＳ１０２の温度測定に戻る。そして、電源ボタンがＯＦＦされた場合には（ステップＳ１２４；Ｙｅｓ）、システム全体の停止動作を実行し（ステップＳ１２６）、処理を終了する。
【００５２】
このようにして、電源投入後の使用開始時から使用終了までに亘って、温度センサ４２による電池収納室３１内の温度測定が随時繰り返し実行され、その測定温度と閾値温度との大小関係に応じた警告表示がユーザに対して行われることとなる。
【００５３】
したがって、例えば寒冷地等の低温環境下で電子カメラを使用しようとする場合には、電源投入後の使用開始時において、温度センサ４２による測定温度Ｔが閾値温度Ｔｔｈよりも低くて放熱タイプのカバー部材５５が装着されている状態であれば、断熱タイプのカバー部材５１への変更を告知する表示が液晶モニタ１７になされるので、ユーザは、断熱タイプのカバー部材５１に変更すべきことが判る。これにより、断熱タイプのカバー部材５１を開口部５０に対して装着することで、電池３０の性能を発揮し得る保温状態で電子カメラを使用することが可能となる。これは、使用開始時に限らず、使用中であっても例えば放熱効果が高すぎて、図８中の左側に示すように、電池収納室３１内の温度が閾値温度Ｔｔｈよりも低下してしまうようなケースでも、同様に対処可能であり、電池収納室３１内の温度が低下し過ぎるのを防止することができる。
【００５４】
一方、温暖地等の環境で電子カメラを使用しようとする場合には、電源投入後の使用開始時において、温度センサ４２による測定温度Ｔが閾値温度（Ｔｔｈ＋Δｔ）よりも高くて断熱タイプのカバー部材５１が装着されている状態であれば、放熱タイプのカバー部材５５への変更を告知する表示が液晶モニタ１７になされるので、ユーザは、放熱タイプのカバー部材５５に変更すべきことが判る。これにより、放熱タイプのカバー部材５５を開口部５０に対して装着することで、外気へ向けた放熱効果を向上させた状態で電子カメラを使用することが可能となる。これは、使用開始時に限らず、使用中であっても例えば断熱効果が高すぎて、図８中の右側に示すように、電池収納室３１内の温度が閾値温度（Ｔｔｈ＋Δｔ）よりも高くなってしまうようなケースでも、同様に対処可能であり、電池収納室３１内の温度が上昇し過ぎるのを防止することができる。
【００５５】
（実施の形態２）
つづいて、本発明の実施の形態２について説明する。本実施の形態２では、放熱タイプのカバー部材５５を省略したものである。すなわち、開口部５０にカバー部材５１が装着されていない場合には、開口部５０の外気側は直接電池収納室３１側と熱的に結合される状態となり、放熱部として機能するため、電池収納室３１に伝達された熱は、開口部５０から外気側に放熱されるようにしたものである。また、放熱タイプのカバー部材５５の省略に伴い、カバー判別スイッチ５６も不要となる。
【００５６】
したがって、本実施の形態２によれば、開口部５０に断熱タイプのカバー部材５１を装着しなければ開口部５０の外気側を放熱部として機能させ外気へ放熱させることができ、開口部５０に断熱タイプのカバー部材５１を装着すれば開口部５０の外気側を断熱部として機能させ電池収納室３１内に放熱させて電池３０を保温させることができる。よって、基本的に、温暖地等であれば、開口部５０をそのままの状態で使用すればよく、例えば寒冷地等であれば、開口部５０に断熱タイプのカバー部材５１を装着して使用すればよく、環境温度を問わず使用可能となり、ユーザの利便性が向上する。
【００５７】
次に、本実施の形態２の場合の断熱タイプのカバー部材５１の着脱を適正に行わせるための、温度センサ４２による検出温度を用いたＣＰＵ６０による制御例について図８に示す概略フローチャートを参照して説明する。
【００５８】
まず、操作部７０中の電源ボタンが投入されると、ＣＰＵ６０は、システム全体の初期化動作を実行する（ステップＳ２００）。ついで、温度センサ４２の検出結果を取り込むことで、電池収納室３１内の温度Ｔを測定する（ステップＳ２０２）。そして、カバー有無検出スイッチ５６の検出結果を取り込むことで、開口部５０に断熱タイプのカバー部材５１が装着されているか否かを判断する（ステップＳ２０４）。カバー有無検出スイッチ５６がＯＦＦであれば、カバー部材５１が装着されていないと判断し（ステップＳ２０４；Ｎｏ）、測定された電池収納室３１内の測定温度Ｔが、予め設定された閾値温度Ｔｔｈよりも低いか否かを判断する（ステップＳ２０６）。測定温度Ｔが閾値温度Ｔｔｈより低い場合には（ステップＳ２０６；Ｙｅｓ）、断熱タイプのカバー部材５１の装着を告知する表示を液晶モニタ１７によって行わせる（ステップＳ２０８）。測定温度Ｔが閾値温度Ｔｔｈ以上の場合には（ステップＳ２０６；Ｎｏ）、ステップＳ２１４に移行する。
【００５９】
一方、カバー有無検出スイッチ５６がＯＮで、開口部５０に断熱タイプのカバー部材５１が装着されている場合には（ステップＳ２０４；Ｙｅｓ）、測定された電池収納室３１内の測定温度Ｔが、予め設定された閾値温度（Ｔｔｈ＋Δｔ）よりも高いか否かを判断する（ステップＳ２１０）。測定温度Ｔが閾値温度（Ｔｔｈ＋Δｔ）より高い場合には（ステップＳ２１０；Ｙｅｓ）、断熱タイプのカバー部材５１の取り外しを告知する表示を液晶モニタ１７によって行わせる（ステップＳ２１２）。測定温度Ｔが閾値温度（Ｔｔｈ＋Δｔ）以下の場合には（ステップＳ２１０；Ｎｏ）、ステップＳ２１４に移行する。
【００６０】
そして、ステップＳ２１４では、操作部７０においてレリーズボタンが操作されたか否かを判断する。レリーズボタンが操作された場合には（ステップＳ２１４；Ｙｅｓ）、自動露出（ＡＥ）／自動焦点（ＡＦ）制御などの撮影準備動作を実行し（ステップＳ２１６）、引き続き、撮影動作を実行し（ステップＳ２１８）、ステップＳ２０２の温度測定に戻る。一方、レリーズボタンが操作されていない場合には（ステップＳ２１４；Ｎｏ）、電源ボタンがＯＦＦされたか否かを判断する（ステップＳ２２０）。電源ボタンがＯＦＦされていない場合も（ステップＳ２２０；Ｎｏ）、ステップＳ２０２の温度測定に戻る。そして、電源ボタンがＯＦＦされた場合には（ステップＳ２２０；Ｙｅｓ）、システム全体の停止動作を実行し（ステップＳ２２２）、処理を終了する。
【００６１】
このようにして、電源投入後の使用開始時から使用終了までに亘って、温度センサ４２による電池収納室３１内の温度測定が随時繰り返し実行され、その測定温度と閾値温度との大小関係に応じた警告表示がユーザに対して行われることとなる。
【００６２】
したがって、例えば寒冷地等の低温環境下で電子カメラを使用しようとする場合には、電源投入後の使用開始時において、温度センサ４２による測定温度Ｔが閾値温度Ｔｔｈよりも低い状態であれば、断熱タイプのカバー部材５１の装着を告知する表示が液晶モニタ１７になされるので、ユーザは、断熱タイプのカバー部材５１を装着すべきことが判る。これにより、断熱タイプのカバー部材５１を開口部５０に対して装着することで、電池３０の性能を発揮し得る保温状態で電子カメラを使用することが可能となる。これは、使用開始時に限らず、使用中であっても同様である。
【００６３】
一方、温暖地等の環境で電子カメラを使用しようとする場合には、電源投入後の使用開始時において、温度センサ４２による測定温度Ｔが閾値温度（Ｔｔｈ＋Δｔ）よりも高くて断熱タイプのカバー部材５１が装着されている状態であれば、断熱タイプのカバー部材５１の取り外しを告知する表示が液晶モニタ１７になされるので、ユーザは、断熱タイプのカバー部材５１を取り外すべきことが判る。これにより、開口部５０を開口させたままの状態とすることで、外気へ向けた放熱効果を確保した状態で電子カメラを使用することが可能となる。これは、使用開始時に限らず、使用中であっても同様である。
【００６４】
（実施の形態３）
本発明の実施の形態３について、図９〜図１２を参照して説明する。図９は、本実施の形態３のカメラ本体を正面から見た外観図であり、図１０は、その内部構造の概略を示す中央水平断面図であり、図１１は、カメラ筐体１０内に組み込まれた電子カメラの主要部の電装系構成例を示す概略ブロック図である。
【００６５】
本実施の形態３は、まず、開口部５０内の底面側には電池収納室３１表面に密着させた放熱部材８０が固定的に設けられている。また、開口部５０に対してこの放熱部材８０よりも外気側には、スライド二重構造の断熱部材８１を備える。この断熱部材８１は、放熱部材８０に隙間を持たせて対向配置されてカメラ筐体１０に固定された窓枠８２と、放熱部材８０と窓枠８２との間に配設されて上下方向にスライド可能なスライドカバー８３とからなる。窓枠８２とスライドカバー８３は、熱伝導の低いセラミック等の断熱材料によって形成されて、開口部５０において電池収納室３１と外気側とを熱的に遮断するためのものである。ここに、窓枠８２とスライドカバー８３には、それぞれ段違いの複数の開放窓８２ａ，８３ａが形成され、スライドカバー８３の上下位置によって、開放窓８２ａ，８３ａの位置が一致して開口部５０（放熱部材８０）が外気に露出する放熱状態と、開放窓８２ａ，８３ａの位置が不一致で開放窓８２ａがスライドカバー８３により閉塞されて開口部５０（放熱部材８０）を外気から遮断する断熱状態とに切り替え可能とされている。
【００６６】
これにより、開口部５０を覆うスライド二重構造の断熱部材８１は、開口部５０（放熱部材８０）の外気側を断熱部に変更可能な機能変更部を構成し、スライドカバー８３のスライド操作によって放熱状態から断熱状態に切り替えることにより開口部５０（放熱部材８０）の外気側を断熱部に変更可能としている。
【００６７】
また、スライドカバー８３をスライド操作するスライドレバー８４が、カメラ筐体１０の前面側において、縦長孔８５から突出させて設けられている。また、スライド二重構造の断熱部材８１が放熱状態にあるか断熱状態にあるかを、スライドカバー８３の状態により検出する状態検出スイッチとしてのカバー位置検出スイッチ８６を備える。カバー位置検出スイッチ８６は、スライドカバー８３が上方位置にあり、断熱部材８１が放熱状態にある場合には、スライドカバー８３に押されてＯＮ状態となり、スライドカバー８３が下方位置にあり、断熱部材８１が断熱状態にある場合には、スライドカバー８３に押されずＯＦＦ状態となるように設定されている。
【００６８】
このような構成において、開口部５０に配設されたスライド二重構造の断熱部材８１が放熱状態にある場合には、開口部５０の外気側は放熱部材８０、開放窓８２ａ，８３ａによって電池収納室３１側と熱的に結合される状態となり、放熱部として機能する。よって、電池収納室３１に伝達された熱は、開口部５０から放熱部材８０、開放窓８２ａ，８３ａを介して効率よく外気側に放熱される。一方、開口部５０に配設されたスライド二重構造の断熱部材８１が開放窓８２ａが閉じた断熱状態にある場合には、開口部５０（放熱部材８０）の外気側は断熱部材８１を構成する窓枠８２およびスライドカバー８３によって電池収納室３１側と熱的に遮断される状態となり、断熱部として機能する。よって、電池収納室３１に伝達された熱は、電池収納室３１の内部に向けて放熱される。これにより、電池収納室３１内に収納された電池３０が撮像ユニット２１で発生した熱を利用して温められ保温される。
【００６９】
したがって、本実施の形態３によれば、開口部５０に配設されたスライド二重構造の断熱部材８１を放熱状態にすれば、開口部５０の外気側を放熱部として機能させ効率よく外気へ放熱させることができ、スライド二重構造の断熱部材８１を断熱状態に切り替えれば、開口部５０の外気側を断熱部として機能させ電池収納室３１内に放熱させて電池３０を保温させることができる。よって、基本的に、温暖地等であれば、スライド二重構造の断熱部材８１を放熱状態で使用すればよく、例えば寒冷地等であれば、スライド二重構造の断熱部材８１を断熱状態に切り替えて使用すればよく、環境温度を問わず使用可能となり、ユーザの利便性が向上する。特に、スライド二重構造の断熱部材８１の切り替え操作だけでよく、着脱方式に比べて簡単に対処することができる。
【００７０】
次に、スライド二重構造の断熱部材８１の断熱状態と放熱状態との切り替えを適正に行わせるための、温度センサ４２による検出温度を用いたＣＰＵ６０による制御例について図１２に示す概略フローチャートを参照して説明する。
【００７１】
まず、操作部７０中の電源ボタンが投入されると、ＣＰＵ６０は、システム全体の初期化動作を実行する（ステップＳ３００）。ついで、温度センサ４２の検出結果を取り込むことで、電池収納室３１内の温度Ｔを測定する（ステップＳ３０２）。そして、カバー位置検出スイッチ８６の検出結果を取り込むことで、開放窓８２ａが開いた状態（断熱部材８１の放熱状態）にあるか否かを判断する（ステップＳ３０４）。カバー位置検出スイッチ８６がＯＮであれば、開放窓８２ａが開いた状態にあると判断し（ステップＳ３０４；Ｎｏ）、測定された電池収納室３１内の測定温度Ｔが、予め設定された閾値温度Ｔｔｈよりも低いか否かを判断する（ステップＳ３０６）。測定温度Ｔが閾値温度Ｔｔｈより低い場合には（ステップＳ３０６；Ｙｅｓ）、スライドカバー８３を操作し開放窓８２ａを閉じることを告知する表示を液晶モニタ１７によって行わせる（ステップＳ３０８）。測定温度Ｔが閾値温度Ｔｔｈ以上の場合には（ステップＳ３０６；Ｎｏ）、ステップＳ３１４に移行する。
【００７２】
一方、カバー位置検出スイッチ８６がＯＦＦであれば、開放窓８２ａが閉じた状態（断熱部材８１の断熱状態）にあると判断し（ステップＳ３０４；Ｎｏ）、測定された電池収納室３１内の測定温度Ｔが、予め設定された閾値温度（Ｔｔｈ＋Δｔ）よりも高いか否かを判断する（ステップＳ３１０）。測定温度Ｔが閾値温度（Ｔｔｈ＋Δｔ）より高い場合には（ステップＳ３１０；Ｙｅｓ）、スライドカバー８３を操作し開放窓８２ａを開くことを告知する表示を液晶モニタ１７によって行わせる（ステップＳ３１２）。測定温度Ｔが閾値温度（Ｔｔｈ＋Δｔ）以下の場合には（ステップＳ３１０；Ｎｏ）、ステップＳ３１４に移行する。
【００７３】
そして、ステップＳ３１４では、操作部７０においてレリーズボタンが操作されたか否かを判断する。レリーズボタンが操作された場合には（ステップＳ３１４；Ｙｅｓ）、自動露出（ＡＥ）／自動焦点（ＡＦ）制御などの撮影準備動作を実行し（ステップＳ３１６）、引き続き、撮影動作を実行し（ステップＳ３１８）、ステップＳ３０２の温度測定に戻る。一方、レリーズボタンが操作されていない場合には（ステップＳ３１４；Ｎｏ）、電源ボタンがＯＦＦされたか否かを判断する（ステップＳ３２０）。電源ボタンがＯＦＦされていない場合も（ステップＳ３２０；Ｎｏ）、ステップＳ３０２の温度測定に戻る。そして、電源ボタンがＯＦＦされた場合には（ステップＳ３２０；Ｙｅｓ）、システム全体の停止動作を実行し（ステップＳ３２２）、処理を終了する。
【００７４】
このようにして、電源投入後の使用開始時から使用終了までに亘って、温度センサ４２による電池収納室３１内の温度測定が随時繰り返し実行され、その測定温度と閾値温度との大小関係に応じた警告表示がユーザに対して行われることとなる。
【００７５】
したがって、例えば寒冷地等の低温環境下で電子カメラを使用しようとする場合には、電源投入後の使用開始時において、温度センサ４２による測定温度Ｔが閾値温度Ｔｔｈよりも低い状態であれば、スライドカバー８３を操作し開放窓８２ａを閉じることを告知する表示が液晶モニタ１７になされるので、ユーザは、開放窓８２ａを閉じるべきことが判る。これにより、スライドカバー８３を操作し開放窓８２ａを閉じることで、電池３０の性能を発揮し得る保温状態で電子カメラを使用することが可能となる。これは、使用開始時に限らず、使用中であっても同様である。
【００７６】
一方、温暖地等の環境で電子カメラを使用しようとする場合には、電源投入後の使用開始時において、温度センサ４２による測定温度Ｔが閾値温度（Ｔｔｈ＋Δｔ）よりも高い状態であれば、スライドカバー８３を操作し開放窓８２ａを開くことを告知する表示が液晶モニタ１７になされるので、ユーザは、開放窓８２ａを開くべきことが判る。これにより、スライドカバー８３を操作し開放窓８２ａを開くことで、外気へ向けた放熱効果を確保した状態で電子カメラを使用することが可能となる。これは、使用開始時に限らず、使用中であっても同様である。
【００７７】
本発明は、上述した実施の形態に限らず、本発明の趣旨を逸脱しない範囲であれば、種々の変形が可能である。例えば、実施の形態３では、放熱効果を高めるために、開口部５０において電池収納室３１と断熱部材８１との間に放熱部材８０を介在させたが、この放熱部材８０は省略してもよい。
【００７８】
また、前述の各実施の形態は、電子カメラとしてレンズ交換可能な一眼レフレックス式デジタルカメラへの適用例で説明したが、このようなカメラに限らず、例えばコンパクト型のデジタルカメラ等であっても、同様に適用することができる。
【図面の簡単な説明】
【００７９】
【図１】本発明の実施の形態１の一眼レフレックス式デジタルカメラの内部構造の概略を示す中央水平断面図である。
【図２】カメラ本体を正面から見た外観図である。
【図３】カメラ本体の内部構造の概略を示す中央縦断正面図である。
【図４−１】放熱タイプのカバー部材装着時の図２中のＡ−Ａ線断面図である。
【図４−２】断熱タイプのカバー部材装着時の図２中のＡ−Ａ線断面図である。
【図５】カメラ筐体内に組み込まれた電子カメラの主要部の電装系構成例を示す概略ブロック図である。
【図６】実施の形態１の温度センサによる検出温度を用いたＣＰＵによる制御例を示す概略フローチャートである。
【図７】閾値温度の設定例についての説明図である。
【図８】本発明の実施の形態２の温度センサによる検出温度を用いたＣＰＵによる制御例を示す概略フローチャートである。
【図９】本発明の実施の形態３のカメラ本体を正面から見た外観図である。
【図１０】図９の内部構造の概略を示す中央水平断面図である。
【図１１】カメラ筐体内に組み込まれた電子カメラの主要部の電装系構成例を示す概略ブロック図である。
【図１２】実施の形態３の温度センサによる検出温度を用いたＣＰＵによる制御例を示す概略フローチャートである。
【符号の説明】
【００８０】
１０  カメラ筐体
１１  撮影レンズ
１７  液晶モニタ
１８  撮像素子
２０  駆動回路基板
２４  撮像制御用素子
３０  電池
３１  電池収納室
４２  温度センサ
４３  ヒートパイプ
５０  開口部
５１  断熱タイプのカバー部材
５２  取付部
５５  放熱タイプのカバー部材
５６  カバー判別スイッチ
５７  カバー有無検出スイッチ
８０  放熱部材
８１  スライド二重構造の断熱部材
８６  カバー位置検出スイッチ
【図１】
2009071762.tif 000003
【図２】
2009071762.tif 000004
【図３】
2009071762.tif 000005
【図４−１】
2009071762.tif 000006
【図４−２】
2009071762.tif 000007
【図５】
2009071762.tif 000008
【図６】
2009071762.tif 000009
【図７】
2009071762.tif 000010
【図８】
2009071762.tif 000011
【図９】
2009071762.tif 000012
【図１０】
2009071762.tif 000013
【図１１】
2009071762.tif 000014
【図１２】
2009071762.tif 000015